(57)【特許請求の範囲】
【請求項１】
床点検口の開口縁に配設されて、遮蔽蓋が被着される矩形状の蓋受枠に、下方傾斜する傾斜部を備え、該傾斜部によって周囲に敷設されるシート防水層の端縁を上方傾斜させて支持する支持板を周設したことを特徴とする床点検口用蓋受枠の防水層支持装置。
【請求項２】
前記支持板が、蓋受枠から略水平に延出し、前記傾斜部の傾斜始端に繋る水平始端部と、前記傾斜部の傾斜終端から略水平に延出する水平終端部とを備えてなることを特徴とする請求項１に記載した床点検口用蓋受枠の防水層支持装置。
【発明の詳細な説明】
【０００１】
【発明の属する技術分野】
本発明は、フロアーハッチ等の床点検口の蓋受枠に適用される防水層支持装置に関する。
【０００２】
【従来の技術】
従来、フロアーハッチ等の床点検口を床面に施工する場合、図５に示すように、遮蔽蓋ａが被着される矩形状の蓋受枠ｂの外側縁に取付けた複数のアンカーｃを、周囲の床ｆの下層を構成するコンクリートｄに立設された鉄筋等の固定杆ｅに固定することによって、蓋受枠ｂを支持し、その状態で周囲にモルタルｍを打設するようにしている。この工法は、モルタル防水工法として知られており、打設したモルタルｍの防水作用によって床ｆが同時に防水処理される。ところが、このようなモルタル防水工法にあっては、衝撃，気温変化等によってモルタルｍにひび割れが生じ易く、このひび割れに起因して防水作用が損なわれることがあった。
【０００３】
【発明が解決しようとする課題】
ところで、上記のようなモルタル防水に比してより高い防水作用が得られるシート防水を行う床において、従来構成の蓋受枠ｂを施工した場合、周囲に水平に敷設されるシート防水層の端縁を、矩形状の蓋受枠ｂの外周を囲うようにして該蓋受枠ｂの外側縁に沿って垂直に立ち上げる必要があるため、収まりが悪く、特に蓋受枠ｂの各コーナー部分でシート防水層が皺になり、蓋受枠ｂの外側縁との間に隙間が生じて、水漏れの原因となっていた。また、各コーナー部分でシート防水層に切込みを入れ、該切込み部分を重ね合わせて前記皺をなくすようにしても、今度はこの切込み部分から水が漏れるという問題点があった。
【０００４】
本発明は、かかる従来の問題点を解消し得る床点検口用蓋受枠の防水層支持装置を提供することを目的とするものである。
【０００５】
【課題を解決するための手段】
本発明は、床点検口の開口縁に配設されて、遮蔽蓋が被着される矩形状の蓋受枠に、下方傾斜する傾斜部を備え、該傾斜部によって周囲に敷設されるシート防水層の端縁を上方傾斜させて支持する支持板を周設したことを特徴とする床点検口用蓋受枠の防水層支持装置である。
【０００６】
かかる構成にあって、シート防水層に、蓋受枠と略同一形状の矩形状の挿通口を形成し、床点検口の開口縁に配設した蓋受枠に上方からシート防水層を被せるようにして、前記挿通口内に蓋受枠を挿通させて、シート防水層を蓋受枠の周囲に敷設する。これにより、蓋受枠の支持板にシート防水層の挿通口の端縁が乗載され、該端縁が支持板の傾斜部によって上方傾斜した状態で支持される。この状態で蓋受枠の周囲のシート防水層上にモルタルを打設する。そして、上記のようにシート防水層の端縁が上方傾斜した状態で支持されていることにより、蓋受枠のコーナー部分においてシート防水層に皺が生ずることがなく、該皺に起因する隙間からの水漏れを防止することができる。また、シート防水層上のモルタルにひび割れが生じ、該ひび割れから浸透した水がシート防水層に達しても、該シート防水層の上方傾斜部分が堰となって、水が塞き止められ、シート防水層の挿通口からの水漏れを防止することができる。
【０００７】
また、前記構成において、前記支持板が、蓋受枠から略水平に延出し、前記傾斜部の傾斜始端に繋る水平始端部と、前記傾斜部の傾斜終端から略水平に延出する水平終端部とを備えてなるようにした構成が提案される。この構成は、支持板の水平始端部によって、シート防水層の挿通口の側端面が蓋受枠の外側縁に面当りするように支持することができ、シート防水層の側端面と蓋受枠の外側縁との隙間をシーリングする場合に、シーリング剤を前記隙間に充填すれば、確実なシーリングを行うことができるとともに、支持板の水平終端部によって、シート防水層の下部に打設されるモルタルを、水平終端部と同一高さとなるようにレベル調整することができ、これにより、該モルタルと水平終端部とによってシート防水層を同一高さで水平に支持することができる。
【０００８】
【発明の実施の形態】
以下に、本発明の一実施例を図１〜図３について説明する。
図面において、１は床点検口を示し、該床点検口１の開口縁を囲繞するようにして矩形状の蓋受枠２が配設される。該蓋受枠２は、適宜の立上がり幅を有する垂直周縁部３の下端内側にパッキン４を付装した蓋受部５を備え、また、垂直周縁部３の上端外側には、床ｆの上面に露出する縁取り部６を備えている。この蓋受枠２には、床点検口１を覆う遮蔽蓋７が着脱可能に被着され、該遮蔽蓋７の下面に突成された乗載縁８を前記蓋受部５で支持するようにしている。
【０００９】
前記蓋受枠２には、下方傾斜する傾斜部９ａを備えた支持板９が周設されている。また、該支持板９は、前記垂直周縁部３の下部から外方に略水平に延出し、前記傾斜部９ａの傾斜始端に繋る水平始端部９ｂと、前記傾斜部９ａの傾斜終端から略水平に延出する水平終端部９ｃとを備えており、水平始端部９ｂが前記蓋受部５の下面に固着されている。さらに、前記水平終端部９ｃの下部には、長溝状連結口１０を備えた複数の取付片１１が連成されている。各取付片１１は、水平終端部９ｃとの間に適宜の間隙が生ずるようにして水平状に設けられており、該間隙を操作間隙１２としている。
【００１０】
次に、かかる構成の蓋受枠２の施工手順を説明する。
まず、床点検口１の周囲の床ｆの下層を構成するコンクリートｄの上面に、予め雄螺子が形成されている固定杆１３を、前記取付片１１に対応する所定位置に夫々植設する。次に、コンクリートｄ上に、木片等のレベル調整材（図示せず）を介して蓋受枠２を乗載し、各取付片１１の長溝状連結口１０に固定杆１３を挿通する。そして、取付片１１の上部と下部で固定杆１３の雄螺子に螺合したナット１４ａ，１４ｂを緊締する。ここで、下部のナット１４ａは予め固定杆１３に螺着しておき、長溝状連結口１０に挿通した固定杆１３に上部のナット１４ｂを螺着するのであるが、取付片１１の上部に操作間隙１２が形成されていることにより、該ナット１４ｂの回動操作を容易に行うことができる。これにより、蓋受枠２が床点検口１上に固定される。而して、支持板９によって、蓋受枠２を床点検口１上に固定するアンカー作用が得られる。
【００１１】
然る後に、支持板９の下部及び周囲にモルタルｍ1 を打設する。ここで、支持板９の周囲に打設されるモルタルｍ1 は、支持板９の水平終端部９ｃの高さに基づいてレベル調整され、該水平終端部９ｃと同一高さとなるように設定される。
【００１２】
そして、前記モルタルｍ1 が硬化したら、蓋受枠２の周囲にシート防水層１５を敷設する。該シート防水層１５には、蓋受枠２と略同一形状の矩形状の挿通口１６が形成してあり、蓋受枠２に上方からシート防水層１５を被せるようにして、前記挿通口１６内に蓋受枠２を挿通させることにより、該シート防水層１５を支持板９及び周囲のモルタルｍ1 上にその全体に亘って敷設するようにする。これにより、支持板９にシート防水層１５の挿通口１６の端縁１５’が乗載され、該端縁１５’が支持板９の傾斜部９ａによって上方傾斜した状態で支持されることとなる。
【００１３】
ここで、シート防水層１５の端縁１５’が傾斜部９ａに面接触し、上方傾斜した状態で支持されることにより、収まりがよく、蓋受枠２のコーナー部分においてもシート防水層１５に皺が生ずることがない。
【００１４】
また、支持板９に、傾斜部９ａの傾斜始端に繋る水平始端部９ｂが設けられていることにより、シート防水層１５の端縁１５’が前記水平始端部９ｂによって水平状に支持されて、挿通口１６の側端面が蓋受枠２の垂直周縁部３の外側縁に面当りするように対向する。これにより、挿通口１６の側端面と垂直周縁部３の外側縁との隙間をシーリングする場合に、シーリング剤を前記隙間に充填すれば、確実なシーリングを行うことができる。
【００１５】
この状態でシート防水層１５上にモルタルｍ2 を打設し、その上面に必要に応じてタイル等の床仕上げ材１７を貼着することにより、施工が完了する。
【００１６】
このような施工状態にあって、シート防水層１５上のモルタルｍ2 にひび割れが生じ、床ｆ内に水が浸透した場合、上記のように、シート防水層１５の端縁１５’が上方傾斜した状態で支持されており、蓋受枠２のコーナー部分においてシート防水層１５に皺が生じていないため、該皺に起因する隙間からの水漏れを防止することができる。また、前記ひび割れから浸透した水が周囲のシート防水層１５に達しても、該シート防水層１５の上方傾斜部分が堰となって、水が塞き止められ、シート防水層１５の挿通口１６からの水漏れを防止することができる。
【００１７】
尚、上記実施例では、予め雄螺子が形成されている固定杆１３をコンクリートｄに植設し、該固定杆１３に螺着されるナット１４ａ，１４ｂの緊締作用を介して支持板９の各取付片１１を固定するようにしているが、この構成に代えて、コンクリートｄに立設される鉄筋等の固定杆１３に、支持板９の各取付片１１を溶接によって固着させるようにしてもよい。ここで、実施例のように、雄螺子が形成されている固定杆１３と、ナット１４ａ，１４ｂとを用いる構成にすれば、蓋受枠２のレベル調整を行い得る利点がある。
【００１８】
図４は、取付片１１が連成される水平終端部９ｃ部分の形状を変更した他の実施例を示し、取付片１１の上部に操作口１２’を開口したものである。この構成にあっては、蓋受枠２の固定時に、固定杆１３に螺着するナット１４ｂ（図１参照）の回動操作を、水平終端部９ｃの上方から操作口１２’に挿通されるボックスレンチによって容易に行い得る利点がある。また、前記実施例のように、操作口１２’を形成しないで取付片１１の上部を遮蔽する構成とすれば、操作間隙１２内へのシート防水層１５の垂れ下がりを防止し得る利点がある。
【００１９】
【発明の効果】
本発明は、上述のように、下方傾斜する傾斜部９ａを備え、該傾斜部９ａによって周囲に敷設されるシート防水層１５の端縁１５’を上方傾斜させて支持する支持板９を、矩形状の蓋受枠２に周設したから、シート防水層１５を、その挿通口１６内に蓋受枠２を挿通させるようにして蓋受枠２の周囲に敷設すると、蓋受枠２の支持板９にシート防水層１５の挿通口１６の端縁１５’が乗載され、該端縁１５’を支持板９の傾斜部９ａによって上方傾斜した状態で支持することができる。これにより、蓋受枠２のコーナー部分においてシート防水層１５に皺が生ずることがなく、該皺に起因する隙間からの水漏れを防止することができる。また、シート防水層１５上に打設されるモルタルｍ2 にひび割れが生じ、該ひび割れから浸透した水がシート防水層１５に達しても、該シート防水層１５の端縁１５’の上方傾斜部分が堰となって、水が塞き止められ、シート防水層１５の挿通口１６からの水漏れを防止することができる。
【００２０】
また、前記支持板９を、蓋受枠２から略水平に延出し、前記傾斜部９ａの傾斜始端に繋る水平始端部９ｂと、前記傾斜部９ａの傾斜終端から略水平に延出する水平終端部９ｃとを備えてなるように構成することにより、支持板９の水平始端部９ｂによって、シート防水層１５の挿通口１６の側端面が蓋受枠２の外側縁に面当りするように支持することができ、シート防水層１５の側端面と蓋受枠２の外側縁との隙間をシーリングする場合に、シーリング剤を前記隙間に充填すれば、確実なシーリングを行うことができる。さらに、支持板９の水平終端部９ｃによって、シート防水層１５の下部に打設されるモルタルｍ1 を、水平終端部９ｃと同一高さとなるようにレベル調整することができ、これにより、該モルタルｍ1 と水平終端部９ｃとによってシート防水層１５を同一高さで水平に支持することができる等の優れた効果がある。
【図面の簡単な説明】
【図１】本発明の一実施例の施工状態を示す側断面図である。
【図２】本発明の一実施例の斜視図である。
【図３】同上の側断面図である。
【図４】他の実施例の斜視図である。
【図５】従来構成の施工状態を示す側断面図である。
【符号の説明】
１  床点検口
２  蓋受枠
７  遮蔽蓋
９  支持板
９ａ  傾斜部
９ｂ  水平始端部
９ｃ  水平終端部
１５  シート防水層
１５’端縁
１６  挿通口
【図１】
0003892149.tif 000002
【図２】
0003892149.tif 000003
【図３】
0003892149.tif 000004
【図４】
0003892149.tif 000005
【図５】
0003892149.tif 000006